(57)【特許請求の範囲】
【請求項１】
トンネル掘進機で組み立てられるセグメントの外周面に敷設すべくトンネル掘進機内で巻き立てられた既設防水シートと新設防水シートとの周方向に延びる重合部を接合するトンネル掘進機における防水シートの接合装置であって、上記既設防水シートと新設防水シートとの間に挿入されその重合部を加熱する加熱接合端子と、その加熱接合端子で加熱された防水シートの重合部を径方向外側へ押し付ける押付ローラと、テールフレームの内周に沿って配置され円筒状に巻き立てられた上記防水シートをその外周から覆う防水シート受けフレームと、上記加熱接合端子及び押付ローラを備えた溶着装置をトンネル掘進機の周方向に移動させる周方向移動手段と、上記溶着装置をトンネル掘進機の径方向に移動させる径方向移動手段とを備えたことを特徴とするトンネル掘進機における防水シートの接合装置。
【請求項２】
上記加熱接合端子が、上記既設防水シートと新設防水シートとの間に挿入されてその内側から各防水シートを直接加熱すべく断面流線形の板状に形成されその内部に電熱ヒータを有する請求項１記載のトンネル掘進機における防水シートの接合装置。
【請求項３】
上記加熱接合端子の径方向内方位置に、上記新設防水シートを上記加熱接合端子に当接させるための案内ローラが設けられた請求項１または２いずれかに記載のトンネル掘進機における防水シートの接合装置。
【請求項４】
上記押付ローラが、その回転軸が傾斜自在に形成され上記防水シート受けフレームの内周面に追従して回動する請求項１から３いずれかに記載のトンネル掘進機における防水シートの接合装置。
【請求項５】
上記押付ローラに、その押付ローラを上記防水シート上の走行に同期して回転させる同期回転機構を接続した請求項１から４いずれかに記載のトンネル掘進機における防水シートの接合装置。
【発明の詳細な説明】
【０００１】
【発明の属する技術分野】
本発明は、トンネル掘進機で組み立てられるセグメントの外周面に敷設すべくトンネル掘進機内で巻き立てられた既設防水シートと新設防水シートとの周方向に延びる重合部を接合するトンネル掘進機における防水シートの接合装置に関するものである。
【０００２】
【従来の技術】
トンネル掘進機は、トンネル内に組み立てられたセグメントにシールドジャッキを介して反力を得て、その先端に設けられたカッタで切羽を切削しながら掘進するようになっている。
【０００３】
一般に、セグメントは円筒状に組み立てられている。セグメントは、軸方向及び周方向に所定の寸法で分割されており、各セグメントを接合することによって円筒状となっている。
【０００４】
よって、組み立てられたセグメント間には、継目ができ、地下水が浸入することとなるため、セグメント間に止水シールを設けて止水するようになっている。しかしながら、実際のところは、施工精度によって、目開きや目違い等が発生し漏水が発生してしまうことがある。
【０００５】
そのため、セグメントの外周側に裏込材を設けて、シール効果を高めるようにしてはいるが、裏込材の劣化等により完全な密閉はできず、以後のメンテナンスが大変であった。
【０００６】
そこで、近年、セグメント外周面全体に防水シートを巻き立て、セグメントと地盤とを遮断することで、防水を図る方法が提案されている。
【０００７】
上述の防水シートの敷設は、以下に示すような手順で行われる。
【０００８】
まず、新設する防水シートを既設防水シートに接合代分重ねて、テールフレーム等に沿って円筒状に展張する。そして、巻き立てた新設防水シートを所定の径に拡径する。新設防水シートの巻立て長さを、既設防水シートの巻立て長さに合わせると共に、新設防水シートと既設防水シートのラップ代を所定の幅に調整する。防水シートの接合部を溶着装置によって熱溶着する。
【０００９】
以上の工程を繰り返し行うことによって、セグメント組立てとシールド掘進と共に、防水シートが順次継ぎ足されて、セグメントの外周面に敷設されることとなる。
【００１０】
従来、上述の防水シートの接合（溶着）は、防水シートが重なり合った重合部をその内側より加熱してローラ等で押圧して行うようになっていた。しかし、上述の接合では、防水シートが二重になっているため、各防水シートが均等に加熱されず、接合の信頼性及び耐久性に問題があった。
【００１１】
そこで、特開平８−２４００９８号公報に示すように、重合部の既設防水シートと新設防水シートとの間に、各防水シートを加熱する接合端子を挿入して、その接合端子で加熱された部分を両側から押圧して、溶着を行うような接合装置が提案されていた。
【００１２】
【発明が解決しようとする課題】
しかしながら、上述の接合装置では、防水シートの加熱された部分を押圧するのに、防水シートの内側及び外側の両方にローラが設けられ、重合部を挟持するようになっていた。
【００１３】
このようにローラで重合部を挟んで押圧するため、高速での溶着が困難であり、作業効率が低下してしまうといった問題があった。また、防水シートの外側にローラが設けられているためその位置がトンネル掘進機のシールドフレームの内周面から大きく離れると共に、防水シートが空中に浮いた状態での溶着となるため、防水シートの巻立径を規制するのが困難であった。
【００１４】
そこで、本発明は上記問題を解決するために案出されたものであって、その目的は、防水シートの周方向に延びる重合部を確実に且つ効率的に溶着でき、その巻立径を容易に規制できるトンネル掘進機における防水シートの接合装置を提供することにある。
【００１５】
【課題を解決するための手段】
上記目的を達成するために、本発明は、トンネル掘進機で組み立てられるセグメントの外周面に敷設すべくトンネル掘進機内で巻き立てられた既設防水シートと新設防水シートとの周方向に延びる重合部を接合するトンネル掘進機における防水シートの接合装置であって、上記既設防水シートと新設防水シートとの間に挿入されその重合部を加熱する加熱接合端子と、その加熱接合端子で加熱された防水シートの重合部を径方向外側へ押し付ける押付ローラと、テールフレームの内周に沿って配置され円筒状に巻き立てられた上記防水シートをその外周から覆う防水シート受けフレームと、上記加熱接合端子及び押付ローラを備えた溶着装置をトンネル掘進機の周方向に移動させる周方向移動手段と、上記溶着装置をトンネル掘進機の径方向に移動させる径方向移動手段とを備えたものである。
【００１６】
上記構成によれば、加熱接合端子を既設防水シートと新設防水シートとの間に挿入して、各防水シートをそれぞれ加熱し、その加熱された防水シートを押圧するので、各防水シートは共に適切な温度に加熱され重合部は確実に溶着される。また、防水シートを、防水シート受けフレームを下地として押付ローラを介して押圧するので、十分な圧力での押圧が行われると共に、高速での押圧が可能である。さらに、防水シート受けフレームによって、防水シートの巻立径を容易に規制することができる。
【００１７】
そして、上記加熱接合端子が、上記既設防水シートと新設防水シートとの間に挿入されてその内側から各防水シートを直接加熱すべく断面流線形の板状に形成されその内部に電熱ヒータを有するものが好ましい。
【００１８】
また、上記加熱接合端子の径方向内方位置に、上記新設防水シートを上記加熱接合端子に当接させるための案内ローラが設けられたものが好ましい。
【００１９】
さらに、上記押付ローラが、その回転軸が傾斜自在に形成され上記防水シート受けフレームの内周面に追従して回動するものが好ましい。
【００２０】
また、上記押付ローラに、その押付ローラを上記防水シート上の走行に同期して回転させる同期回転機構を接続したものが好ましい。
【００２１】
【発明の実施の形態】
以下、本発明の好適な実施の形態を添付図面に基づいて説明する。
【００２２】
図１は本発明に係るトンネル掘進機の防水シートの接合装置の好適な実施の形態を示した断面図、図２は本発明に係るトンネル掘進機の防水シートの接合装置の好適な実施の形態を径方向内側より示した平面図、図３は図２のＡ−Ａ線断面図、図４は図２のＢ−Ｂ線断面図、図５は本発明に係るトンネル掘進機の防水シートの接合装置を用いた接合の第一工程を示した平面図及び断面図、図６は本発明に係るトンネル掘進機の防水シートの接合装置を用いた接合の第二工程を示した平面図及び断面図、図７は本発明に係るトンネル掘進機の防水シートの接合装置を用いた接合の第三工程を示した平面図及び断面図、図８は本発明に係るトンネル掘進機の防水シートの接合装置を用いた接合の第四工程を示した平面図及び断面図、図９は防水シートの敷設装置を示した概略断面図、図１０は図９の一部拡大断面図、図１１は図９のＣ−Ｃ及びＤ−Ｄ線断面図である。
【００２３】
まず、セグメントの外周面に防水シートを敷設する敷設装置の全体構成を説明する。
【００２４】
図９から図１１に示すように、防水シート１の敷設装置２はトンネル掘進機３の後部のテールフレーム４内に配置されており、セグメント５を組み立てる前に、防水シート１を円筒状に形成しておくものである。
【００２５】
敷設装置２は、筒状の防水シート受けフレーム６と、支持フレーム７と、新設防水シート固定装置８と、既設防水シート固定装置９と、巻立装置１０及び接合装置１１とによって、その主要部が構成されている。
【００２６】
防水シート受けフレーム６は、テールフレーム４の内周面に沿って、その内周面から若干の間隔をあけて配置されると共に、既設防水シート１ａと新設防水シート１ｂが重なる重合部（接合部）２５付近から新設防水シート１ｂの切羽側端部まで延出されている。防水シート受けフレーム６の内径は、組み立てられたセグメント５の外径に防水シート１の厚さを足した長さと略同一となっている。新設される防水シート１ｂは、この防水シート受けフレーム６に沿って展張され、固定されるために、常に同一径で巻き立てることができる。
【００２７】
支持フレーム７は、ドーナツ状のリングフレーム１４を介して、防水シート受けフレーム６を内側から支持するための架台である。この架台は、防水シート１を固定するための反力を受ける構成となっている。支持フレーム７は、円筒状の補強フレーム１５によって、スライド自在に支持されている。この補強フレーム１５は、テールフレーム４の内周面から延びるテールリングフレーム１６に連結固定されている。
【００２８】
テールリングフレーム１６には、移動ジャッキ１７が連結されている。この移動ジャッキ１７の先端は、支持フレーム７に接続されており、移動ジャッキ１７の伸縮によって、支持フレーム７が、トンネル掘進機３の軸方向にスライドするようになっている。なお、補強フレーム１５はスライドガイドの役目を備えており、ロッド状のものであってもよい。
【００２９】
新設防水シート固定装置８は、防水シート受けフレーム６の内周面に沿って展張した新設防水シート１ｂを、径方向外側へ押圧するものである。新設防水シート固定装置８は、支持フレーム７の外面に複数個の押えジャッキ１８が周方向に所定の間隔で設けられている。押えジャッキ１８の先端には、防水シート押え板１９が設けられている。押えジャッキ１８の両サイドには、押えジャッキ１８がローリングするのを防止するローリング防止ガイド２１が設けられている（図１１中、左側に示したＣ−Ｃ線断面図参照）。防水シート押え板１９の押え面には、防水シート１を傷つけないように、高密度ナイロン等の素材が使用されている。
【００３０】
押えジャッキ１８が伸長することによって、防水シート押え板１９が新設防水シート１ｂを防水シート受けフレーム６に押し付けて、防水シート１の垂れや延びを防止する。なお、新設防水シート固定装置８は、常に防水シート１の均一な巻き立てを確保できるように、新設防水シート１ｂのほぼ全範囲を押付け固定できるものが好ましい。
【００３１】
既設防水シート固定装置９は、既設防水シート１ａを防水シート受けフレーム６に押し付けて固定するものである。既設防水シート固定装置９も、新設防水シート固定装置８と同様に、支持フレーム７の外面に、全周に渡って所定間隔をあけて複数個設けられており、押えジャッキ２２、防水シート押え板２３及びローリング防止ガイド２４から構成されている（図１１中、右側に示したＤ−Ｄ線断面図参照）。
【００３２】
巻立装置１０は、リングフレーム１４に取り付けられた防水シートロール１２から新設防水シート１ｂを挟持して、防水シート受けフレーム６の内周に沿って回転して、防水シート１を筒状に敷設するものである。巻立装置１０は、電動機等の駆動源にによりピニオンや内歯歯車を介して、回転駆動される旋回リング  （図示せず）に取り付けられている。
【００３３】
接合装置１１は、円周状に形成される新設防水シート１ｂと既設防水シート１ａとの円周状重合部２５を接合する周方向接合装置２６と、新設防水シート１ｂの円周方向両端同士がラップする直線状重合部を接合する軸方向接合装置（図示せず）とから構成されている。
【００３４】
軸方向接合装置は、直線状重合部を加熱する加熱手段と、この加熱手段にて加熱された新設防水シート１ｂの重合部を押圧する押圧手段とを有する溶着装置を、直線状重合部に沿って、トンネル掘進機３の軸方向に移動自在に設けて構成されている。
【００３５】
ところで、本発明は、図１から図４に示すように、防水シート１の周方向の接合を行う接合装置２６が、既設防水シート１ａと新設防水シート１ｂとの間に挿入されその重合部２５を加熱する加熱接合端子３１と、その加熱接合端子３１で加熱された防水シート１の重合部２５を径方向外側へ押し付ける押付ローラ３２と、テールフレーム４の内周に沿って配置され円筒状に巻き立てられた防水シート１をその外周から覆う防水シート受けフレーム６と、加熱接合端子３１及び押付ローラ３２を備えた溶着装置３３をトンネル掘進機３の周方向に移動させる周方向移動手段３４と、上記溶着装置３３をトンネル掘進機３の径方向に移動させる径方向移動手段３５とを備えたことを特徴とする。
【００３６】
周方向接合装置２６は、溶着装置３３を周方向に移動させる周方向移動手段３４を構成する回転リング３６を有している。回転リング３６は、テールフレーム４の内周に沿って所定間隔を隔てて設けられており、図示しないモータやギヤ等を介してトンネル掘進機３の中心軸を中心として回転するようになっている。
【００３７】
回転リング３６には、トンネル掘進機３の径方向に移動自在な移動プレート３７が取り付けられている。移動プレート３７には溶着装置３３が取り付けられている。移動プレート３７の周方向両端には、回動ブラケット３８に摺動自在に軸支されるローラ３９がそれぞれ設けられている。各回動ブラケット３８は、回転リング３６の固定側に支持されたピン４１に軸支されると共に、基端が回転リング３６の固定側に軸支された伸縮シリンダ４３の先端が軸支されている。図中、４４は、移動プレート３７の移動方向を径方向に規制するガイド部材を示す。
【００３８】
これら伸縮シリンダ４３及び回動ブラケット３８等で、径方向移動手段３５が構成されており、伸縮シリンダ４３が伸縮することによって、回動ブラケット３８が、ピン４１を中心に回動して、移動プレート３７が、トンネル掘進機３の径方向に移動し、防水シート受けフレーム６及び防水シート１の重合部２５に対して近接離反するようになっている。
【００３９】
図中、４７は、移動プレート３７の防水シート１への近接時に、防水シート１に当接して回転することによって、移動プレート３７の径方向の位置決めを行う位置決めローラを示す。
【００４０】
移動プレート３７には、加熱接合端子３１が回動自在に設けられている。具体的には、移動プレート３７の回転方向上流側部分に、ピン結合されたブラケット４５に加熱接合端子３１が支持されている。加熱接合端子３１は、ブラケット４５に対して、取付部材４８を介して支持されており、防水シート受けフレーム６の内周面に追従するように、首振り可能に設けられている。なお、取付部材４８は、バネ等の弾性部材で形成することも可能である。
【００４１】
また、ブラケット４５は、移動プレート３７からトンネル掘進機３の軸方向に沿って延びたロッド４９に沿って、移動自在に設けられており、加熱接合端子３１が重合部２５に対して、軸方向にも近接離反可能となっている。
【００４２】
加熱接合端子３１は、断面流線形の板状に形成されており、その内部に電熱ヒータ４６が設けられている。加熱接合端子３１は、重合部２５の溶着時には、既設防水シート１ａと新設防水シート１ｂとの間に挿入されて、その内側から各防水シート１ａ，１ｂを直接加熱するようになっている。
【００４３】
移動プレート３７には、押付ローラ３２が回動自在に設けられている。具体的には、移動プレート３７の回転方向下流側部分に、ピン結合されたブラケット５１に、コ字状ブラケット５２を介して、押付ローラ３２が軸支されている。
【００４４】
コ字状ブラケット５２は、ブラケット５１に対して回動自在に設けられている。具体的には、コ字状ブラケット５２は、押付ローラ３２の回転軸方向に直交する方向に延びる軸（押付ローラ３２の進行方向に延びる軸）５３を中心として回動するようになっている。すなわち、押付ローラ３２が、その回転軸が傾斜自在に形成されており、防水シート受けフレーム６の内周面に追従するように形成されている。
【００４５】
なお、押付ローラ３２を軸支する構造は、上記構造に限られるものではない。例えば、球面軸受けを介して押付ローラ３２を軸支するような構造でもよい。
【００４６】
ブラケット５１の回転方向上流側部分で、加熱接合端子３１の径方向内方位置には、新設防水シート１ｂを加熱接合端子３１に当接させるための複数の案内ローラ５４が設けられている。
【００４７】
ブラケット５１には、基端が移動プレート３７側に軸支されたローラ押付用シリンダ５５の先端が軸支されている。ローラ押付用シリンダ５５の伸長によって、ブラケット５１が、ピン５６を中心に回動して、押付ローラ３２及び案内ローラ５４を防水シート受けフレーム６側へ押し付けるようになっている。
【００４８】
次に、防水シート１の敷設工程に合わせて、上記構成によるトンネル掘進機における防水シートの接合装置の作用を説明する。
【００４９】
トンネル掘進機３は、掘削開始状態でシールドジャッキ６１をセグメント５に押し付けた状態としておく。既設防水シート１ａを既設防水シート固定装置９で防水シート受けフレーム６の内周面に押し付けて固定し、自重や外力によるしわ、垂れ或いは外力によって円周状の重合部２５に影響が及ばないようにしておく。
【００５０】
そして、巻立装置１０によって、新設防水シート１ｂを防水シート受けフレーム６の内周面に沿って、既設防水シート１ａの縁部に重なるように敷設する。その後、新設防水シート固定装置８によって、防水シート受けフレーム２の内周面に新設防水シート１ｂを押し付けて固定する。
【００５１】
次に、防水シート１の溶着を行う。このとき、トンネル掘進機３の掘進に伴って、シールドジャッキ６１が伸長するが、その伸長に同調させて移動ジャッキ１７を伸長させて、支持フレーム７を所定の接合位置に維持させておく。
【００５２】
そして、周方向接合装置２６によって、新設防水シート１ｂと既設防水シート１ａとの円周状重合部２５を接合する。
【００５３】
最初に接合装置２６は、図５に示すように、移動プレート３７が径方向内側に移動させておき、溶着装置３３が防水シート１の重合部２５から離反した状態にしておく。これと同時に、加熱接合端子３１は、移動プレート３７側に移動させると共に、径方向内側に回動させて重合部２５から離反させておく。このとき、新設防水シート１ｂの軸方向端部（坑口側）８１が、加熱接合端子３１及び押付ローラ３２の位置に相当している。
【００５４】
ところで、溶着前に行われる防水シート１の巻立時は、接合装置２６は、図５に示した状態となっている。そのとき、溶着装置３３は、径方向移動手段３５によって防水シート受けフレーム６から所定距離、離反しているので、巻立装置１０や防水シート１が、溶着装置３３を含む接合装置２６に干渉することがなく、円滑な巻立てを行うことができる。
【００５５】
次に、図６に示すように、重合部２５の内側となる新設防水シート１ｂの端部６２を径方向内側に持ち上げる。
【００５６】
そして、図７に示すように、加熱接合端子３１を、ロッド４９を中心として径方向外側に回動させた後に、ロッド４９に沿わして軸方向前方（重合部２５側）に移動させて、持ち上げた新設防水シート１ｂの外側に位置させる。
【００５７】
その後、図８に示すように、移動プレート３７の両側の伸縮シリンダ４３を伸長させて、移動プレート３７を径方向外側へ移動させて、加熱接合端子３１及び押付ローラ３２を、重合部２５に近接させる。そして、ローラ押付用シリンダ５５を伸長させて、押付ローラ３２を重合部２５に適切な圧力で押圧すると共に、案内ローラ５４を加熱接合端子３１に近接させる。
【００５８】
これで接合装置２６のセットが終了し、次に、加熱接合端子３１を加熱した後、案内ローラ５４を回転させつつ、回転リング３６を回転させる。これによって、新設防水シート１ｂが押付ローラ３２側に送り込まれて、既設防水シート１ａとの溶着が開始される。
【００５９】
このとき、既設防水シート１ａと新設防水シート１ｂとは、その間に挿入された加熱接合端子３１によって、直接加熱されるため、適切な温度まで加熱することができる。そして、加熱された防水シート１は、防水シート受けフレーム６を下地として押付ローラ３２によって十分な圧力で押圧されるので、防水シート１を固定することができ、確実で且つ高速での溶着が可能となる。
【００６０】
また、押付ローラ３２の外側に防水シート受けフレーム６を設けたことによって、防水シートの巻立径を容易に規制することができると共に、防水シート１の巻立位置を、テールフレーム４の内周面から比較的近くすることができ、テールシールのシール性を高めることができる。
【００６１】
加熱接合端子３１は、ブラケット４５の回動によって、既設防水シート１ａに確実に接触し、また、案内ローラ５４によって、新設防水シート１ｂが、加熱接合端子３１に接触するので、より確実な加熱が可能となる。
【００６２】
さらに、加熱接合端子３１は、取付部材４８を介して、ブラケット４５に支持されているので、取付部材４８をバネ等の弾性部材で形成した場合には、万一、防水シート受けフレーム６の内周面にうねり等があった場合でも、加熱接合端子３１の表面を、防水シート受けフレーム６の内周面に追従させることができ、加熱効率が低下することはない。
【００６３】
また、押付ローラ３２が、その回転軸が傾斜自在に形成されているので、万一、防水シート受けフレーム６の内周面にうねり等があった場合でも、押付ローラ３２が防水シート受けフレーム６の内周面に追従して回動することができ、溶着の信頼性が高まる。
【００６４】
溶着が終了する際には、既設防水シート１ａと新設防水シート１ｂとの間に挿入された加熱接合端子３１は、新設防水シート１ｂの未溶着部分である周方向端部から、溶着装置３３の回転と共に、自動的に、防水シート１の径方向内側へと開放される。これと共に、新設防水シート１ｂの上記周方向端部は、押付ローラ３２によって押圧されるので、端部まで確実に溶着される。
【００６５】
その後、軸方向接合装置によって、新設防水シート１ｂの円周方向両端がラップしてなる直線状重合部を接合する。
【００６６】
直線状重合部の接合が終了した後、新設防水シート固定装置８及び既設防水シート固定装置９の固定を解除して、移動ジャッキ１７を縮退させて、防水シート受けフレーム６及び支持フレーム７を前方にスライドさせる。
【００６７】
防水シート受けフレーム６及び支持フレーム７のスライドが終了した後、敷設した新設防水シート１ｂの自重等による垂れ下がりが発生しないように、新設防水シート１ｂの切羽側端部で、既設防水シート固定装置９を作動させて、新設防水シート１ｂの前端部分を固定する。そしてその状態のままでセグメント５の組立てを行う。
【００６８】
図１２は本発明に係るトンネル掘進機の防水シートの接合装置の他の実施の形態を示した要部拡大断面図である。
【００６９】
ここに示した他の実施の形態の接合装置は、押付ローラ６７と案内ローラ６８とに特徴を有するものである。
【００７０】
図１２に示すように、押付ローラ６７には、その押付ローラ６７を防水シート１上の走行に同期して回転させる同期回転機構６９が接続されている。同期回転機構６９は、移動プレート３７に軸支され既設防水シート１ａ上を走行する回転ローラ７１と、その回転ローラ７１の回転軸７２と押付ローラ６７の回転軸７３とを連結するチェーン７４とで構成されている。
【００７１】
回転ローラ７１は、重合部２５から既設防水シート１ａ側にオフセットして設けられており、回転軸７２が重合部２５側まで延出して、そこでチェーン７４にて押付ローラ６７と連結されている。回転ローラ７１は、押付ローラ６７と同径に形成され、各回転軸７２，７３に設けられたスプロケット７５も同径に形成されている。
【００７２】
これによって、移動プレート３７が回転すると、回転ローラ７１が回転し、その回転力がチェーンを介して押付ローラ６７に伝達される。回転ローラ７１と押付ローラ６７、また各スプロケット７５が同径に形成されているので、押付ローラ６７は、防水シート上の走行に同期して回転することとなり、しわの発生等を防ぐことができる。
【００７３】
さらに、回転ローラ７１と押付ローラ６７の径やスプロケット７５の径を変えて、微小な速度差を付けることにより、加熱された防水シート１の伸びによるしわの発生を防止することも可能となる。
【００７４】
また、上記回転同期機構６９によれば、モータ等の駆動源を必要とせず、動力を必要としない。さらに、同期を機械的に行うため、制御装置等を設ける必要がなく、容易に行うことができる。
【００７５】
案内ローラ６８は、ブラケット５１に中間部がピン結合されたロッド７６の加熱接合端子３１側一端に設けられている。ロッド７６の他端には、ブラケット５１に取り付けられたバネ７７が連結されている。
【００７６】
溶着時には、バネ７７がロッド７６の他端を引っ張り、ロッド７６がピン７８を中心に回動し、案内ローラ６８が新設防水シート１ｂを加熱接合端子３１側に押圧するようになっている。これによって、新設防水シート１ｂが広い面積で加熱接合端子３１の加熱面に接触することとなり、その加熱効率が向上し、溶着の確実性を高めることができる。
【００７７】
なお、他の構成については、図１の接合装置２６と同様であるので、同じ符号を付して説明を省略する。
【００７８】
【発明の効果】
以上要するに本発明によれば、加熱接合端子を既設防水シートと新設防水シートとの間に挿入して、各防水シートをそれぞれ加熱し、その加熱された防水シートを押圧するので、各防水シートは共に適切な温度に加熱され重合部は確実に溶着される。また、防水シートを、防水シート受けフレームを下地として押付ローラを介して押圧するので、十分な圧力での押圧が行われると共に、高速での押圧が可能である。さらに、防水シート受けフレームによって、防水シートの巻立径を容易に規制することができるといった優れた効果を発揮する。
【図面の簡単な説明】
【図１】本発明に係るトンネル掘進機の防水シートの接合装置の好適な実施の形態を示した断面図である。
【図２】本発明に係るトンネル掘進機の防水シートの接合装置の好適な実施の形態を径方向内側より示した平面図である。
【図３】図２のＡ−Ａ線断面図である。
【図４】図２のＢ−Ｂ線断面図である。
【図５】本発明に係るトンネル掘進機の防水シートの接合装置を用いた接合の第一工程を示した（ａ）は平面図、（ｂ）は断面図である。
【図６】本発明に係るトンネル掘進機の防水シートの接合装置を用いた接合の第二工程を示した（ａ）は平面図、（ｂ）は断面図である。
【図７】本発明に係るトンネル掘進機の防水シートの接合装置を用いた接合の第三工程を示した（ａ）は平面図、（ｂ）は断面図である。
【図８】本発明に係るトンネル掘進機の防水シートの接合装置を用いた接合の第四工程を示した（ａ）は平面図、（ｂ）は断面図である。
【図９】防水シートの敷設装置を示した概略断面図である。
【図１０】図９の一部拡大断面図である。
【図１１】図９のＣ−Ｃ及びＤ−Ｄ線断面図である。
【図１２】本発明に係るトンネル掘進機の防水シートの接合装置の他の実施の形態を示した要部拡大断面図である。
【符号の説明】
１  防水シート
１ａ  既設防水シート
１ｂ  新設防水シート
３  トンネル掘進機
４  テールフレーム
６  防水シート受けフレーム
２５  （円周状）重合部
２６  （周方向）接合装置
３１  加熱接合端子
３２  押付ローラ
３３  溶着装置
３４  周方向移動手段
３５  径周方向移動手段
４６  電熱ヒータ
５４  案内ローラ
６７  押付ローラ
６８  案内ローラ
６９  同期回転機構
【図１】
0003920037.tif 000002
【図２】
0003920037.tif 000003
【図３】
0003920037.tif 000004
【図４】
0003920037.tif 000005
【図５】
0003920037.tif 000006
【図６】
0003920037.tif 000007
【図７】
0003920037.tif 000008
【図８】
0003920037.tif 000009
【図９】
0003920037.tif 000010
【図１０】
0003920037.tif 000011
【図１１】
0003920037.tif 000012
【図１２】
0003920037.tif 000013